(57)【要約】      （修正有）【課題】リユースオークションを正確かつ効率良く行うための様々な情報を１つの荷札に記入できるようにしたリユースオークション用荷札を提供する。【解決手段】リユースオークションにおいてせりにかけるリユース品ごとに貼られるリユースオークション用荷札１００であって、紙でできており、その表面は記入面となってその裏面には糊が付けられており、リユース品の売人を特定する売人特定記入欄１１１を設けると共に、リユース品の買人を特定する買人特定記入欄１２１及び買い取り金額を記入する買い取り金額記入欄１２２を設けることに加えて、リユース品の買い取り金額に影響を与えるリユース品の各種情報をこの情報ごとに記入するリユース品の特記事項記入欄１１８が少なくとも１つ設けられ、リユースオークション用荷札の所定の連続した部位に売人側の記入欄が配置されている。【選択図】図１
0003195895.tif 000002
【実用新案登録請求の範囲】
【請求項１】
リユースオークションにおいてせりにかけるリユース品ごとに貼られるリユースオークション用荷札であって、
前記リユースオークション用荷札には、リユース品の売人を特定する売人特定記入欄を設けると共に、リユース品の買人を特定する買人特定記入欄及び買い取り金額を記入する買い取り金額記入欄を設けることに加えて、前記リユース品の買い取り金額に影響を与える当該リユース品の各種情報をこの情報ごとに記入するリユース品情報記入欄が少なくとも１つ設けられていることを特徴とするリユースオークション用荷札。
【請求項２】
前記リユースオークション用荷札の所定の連続した部位に売人側の記入欄が配置され、前記所定の連続した部位とは異なる残りの所定の連続した部位に買人側の記入欄が配置されていることを特徴とする請求項１に記載のリユースオークション用荷札。
【考案の詳細な説明】
【技術分野】
【０００１】
本考案は、リユースオークションにおいて使用されるリユースオークション用荷札に関する。
【背景技術】
【０００２】
近年、リユース品の有効利用の観点から、オークション会場において複数のリユースショップが集まってリユースオークションが頻繁に行われるようになっている。（例えば特許文献１参照）。この際、せりにかけるリユース品（以下、単に適宜「商品」とする）にオークション用荷札を貼り付けてオークションを行う。
【先行技術文献】
【特許文献】
【０００３】
【特許文献１】特開２０１０−２６６７３号公報
【考案の概要】
【考案が解決しようとする課題】
【０００４】
従来から行われている一般的なリユースオークションにおいては、オークション用荷札に記入される各売人や各買人に関する記載内容は限られている。具体的には、従来のリユースオークションにおいては、売人の名前の書いた売人特定札を貼った商品をせり人が１つずつせりにかけ、買人の名前や落札した値段を書いた落札記入札を商品にその場で貼り付け、オークションの他の実行スタッフに商品を渡して売人特定札と落札記入札からこのスタッフがこれらの情報をパーソナルコンピュータに入力し、オークション終了後に商品の買人からの現金の受け取りと商品の売人への現金の支払い等を行っている。
【０００５】
リユースオークションにおけるこのようなせりのやり方では、一回のリユースオークションで何千点から何万点という商品をせりにかけなければならないため、別々に貼られている売人特定札や落札額記荷札のどちらかが剥がれてその商品のせりの内容がわからなくなったり、買人が考えていた商品の年式に対して実際に購入した商品の年式がそれよりも古かったり、その商品自体に買人が予想していないような傷があったり、例えば商品が電化製品の場合、本来つくべきリモコンがついていなかったりして、買人が一旦は購入したがオークションを終了した後にオークションの開催者にクレームをつける問題が生じている。このような事情から、オークション後に買人が商品を返品したいと言い出すような場合も頻繁に見られる。
【０００６】
また、商品に保証書、取扱説明書、付属品があるにもかかわらずせり人がその内容を伝えないことで売人の希望しない安い額で商品がせり落とされてしまい、オークションを終了した後に売人からオークションの開催者にクレームがつく問題も生じている。
【０００７】
また、オークションの最中に上述のような問題が生じることで、オークションがその場で一時期中断してしまうことがある。一回のオークションで何千点から何万点という商品をせりにかける必要上、このようなことが重なるとオークションを効率良く進行させることができず、オークションの時間がトータルで非常に長引いてしまう問題が生ずることがある。
【０００８】
本考案の目的は、リユースオークションを正確かつ効率良く行うのに必要な様々な情報を１つの荷札に記入することができるようにし、上述のような問題を解決するようにしたリユースオークション用荷札を提供することにある。
【課題を解決するための手段】
【０００９】
上記目的を達成するために本考案の請求項１に係るリユースオークション用荷札は、
リユースオークションにおいてせりにかけるリユース品ごとに貼られるリユースオークション用荷札であって、
前記リユースオークション用荷札には、リユース品の売人を特定する売人特定記入欄を設けると共に、リユース品の買人を特定する買人特定記入欄及び買い取り金額を記入する買い取り金額記入欄を設けることに加えて、前記リユース品の買い取り金額に影響を与える当該リユース品の各種情報をこの情報ごとに記入するリユース品情報記入欄が少なくとも１つ設けられていることを特徴としている。これにより、上記の課題を全て解決できる。
【００１０】
また、本考案の請求項２に係るリユースオークション用荷札は、請求項１に記載のリユースオークション用荷札において、前記リユースオークション用荷札の所定の連続した部位に売人側の記入欄が配置され、前記所定の連続した部位とは異なる残りの所定の連続した部位に買人側の記入欄が配置されていることを特徴としている。
【００１１】
売人側の記入欄と買人側の記入欄のエリアを分けることで、例えばせり人やオークションスタッフが誤った記入欄への誤記入を極力防止することができる。
【考案の効果】
【００１２】
本考案によると、リユースオークションを正確かつ効率良く行うのに必要な様々な情報を１つの荷札に記入することができるようにしたリユースオークショい７ン用荷札を提供することができる。
【図面の簡単な説明】
【００１３】
【図１】本考案の一実施形態に係るリユースオークション用荷札を示す平面図である。
【考案を実施するための形態】
【００１４】
以下、本考案の一実施形態に係るリユースオークション用荷札の詳細な内容について図面に基づいて説明する。図１は、本考案の一実施形態に係るリユースオークション用荷札を示す平面図である。
【００１５】
本考案の一実施形態に係るリユースオークション用荷札１００（以下単に「リユースオークション用荷札１００」とする）は、リユースオークション会場において、リユースオークション時にせりにかけるリユース品ごとに貼られるリユースオークション用荷札である。
【００１６】
そして、リユースオークション用荷札１００には、少なくともリユース品の売人を特定する売人特定記入欄１１１が設けられると共に、リユース品の買い取り金額に影響を与えるリユース品の各種情報をこの情報ごとに記入する複数のリユース品情報記入欄が設けられている。更には、リユース品の買人を特定する買人特定記入欄１２１及び買い取り金額を記入する買い取り金額記入欄１２２、買い取り個数を記入する買い取り個数記入欄１２３が設けられている。
【００１７】
そして、リユースオークション用荷札の所定の連続した部位に売人側の記入欄が配置され、この所定の連続した部位とは異なる残りの所定の連続した部位に買人側の記入欄が配置されている。
【００１８】
より具体的には、本実施形態の場合、リユースオークション用荷札１００の売人側の記入欄には、上述した売人特定記入欄１１１、同じく商品のラベルに表示された商品の年式を転記する年式記入欄１１２、後述する特記事項記入欄１１８に加えて、商品のラベルに表示されたメーカー名を転記するメーカー名記入欄１１３、売人が商品の保証をするかしないかを明示する保証有無記入欄１１４、商品が家電製品等の場合に記入するリモコン有無記入欄１１５、給湯器及びガスレンジ等において適用可能なガスの種類を特定するガス種特定記入欄１１６が設けられている。また、リユースオークション用荷札１００の買人側の記入欄には、上述したように買人特定記入欄１２１及び買い取り金額記入欄１２２、買い取り個数記入欄１２３が設けられている。
【００１９】
そして、リユース品（以下、単に「商品」とする）の売人の識別番号（売人を特定するために個別に売人に割り振られた番号）や売人自身の名前を売人特定記入欄１１１にこれらの内容をせり前に記入すると共に、その商品に製造年のメーカーシールが貼られている場合、リユースオークション用荷札の年式記入欄１１２に製造年をせり前に転記し、メーカー名が分かる場合はリユースオークション用荷札のメーカー名記入欄１１３にメーカー名をせり前に記載し、商品の保証の有無についてせり前に保証有無記入欄１１４に記載し、商品がエアコンやテレビなどの家庭用電化製品等の場合、リモコンの有無をせり前にリモコン有無記入欄１１５に記入しておく。また、特記事項記入欄１１８には、商品に傷があるとか商品が例えば食器のセットであってそのセットの中のお皿の１つが足りない場合などにその旨をせり前に記入しておく。
【００２０】
各商品についてせりが落札した場合、買人特定記入欄１２１に買人の番号や氏名をせり人が記入すると共に、買い取り金額記入欄１２２にせりで落札した買い取り金額をせり人が記入する。また、個数記入欄は、買人がその商品を１個買ったか若しくは買人が例えば同一機種の扇風機をまとめて複数台買った場合や同一種類の椅子を複数脚買った場合にその個数をせり人が記入する。
【００２１】
なお、本実施形態では、リユースオークション用荷札１００は表面（上記諸事項記入面）がボールペン等で記入し易い紙等の材質からなり、大きさは横６．３ｃｍ、縦８．４ｃｍである。なお、この寸法及び材質はあくまで本考案の一例を示したものである。リユースオークション用荷札の裏面にはオークション後に剥がすことができる糊が付けられ、買人がリユースオークション用荷札の記載内容を確認した後にこのリユースオークション用荷札を簡単に剥がすことができるようになっている。
【００２２】
以下に本考案に係るリユースオークション用荷札を用いた場合の実際のオークションのやり方について説明する。
【００２３】
売人は、オークションスタッフの立ち会いのもと、このリユースオークション用荷札の記入欄に必要事項を全て記入しこれを商品に貼ってオークション会場に持ち込む。オークション会場では、せり人（せりを行う人）がその商品名の他に上述した商品に貼られたリユースオークション用荷札に記載された様々な内容（情報）を見て読み上げ、せりを行う。
【００２４】
そして、せり人がその商品の値段をせり上げて最高額を提示した買人の識別番号（買人を特定するために個別に買人割り振られた番号）や買人自身の名前をリユースオークション用荷札の買人特定記入欄に記入する。また、せり人は、買人の買い取り値を商品買い取り金額記入欄１２２に記入する。
【００２５】
このようなせり人が行う各商品のせりと並行して、せりによって落札された各商品の売人の特定番号と買人の特定番号、買人がせり落とした買い取り額をせり人とは別のせり結果入力担当者であるオークションスタッフがパーソナルコンピュータ（以下、「パソコン」とする）に入力する。
【００２６】
１回のオークションで何千個から何万個という商品がせりにかけられ順次せり落とされていくので、上述したせり結果入力担当者が各せりに合わせて入力していく上述の情報をせりが終わった後に商品の買人ごとの総購入額（せり落とした個々の商品の落札額の合計額）の請求書がパソコンのプリンターから出力され、これをさらに別のオークションの担当者が各買人から徴収し、これを各商品の売人ごとに支払っていく。
【００２７】
実際のオークションでは、売人や買人の特定番号を予めリユースショップごとに割り振っておくことで、どこのリユースショップかが分かり商品の総額を即時に知ることができ、その場で現金決済（現金による支払い）を行ってもらう。また、各リユースショップに登録した売人が売った商品の種類及び各商品の落札額を合計した総売上高に基づいて売人にこれに応じた現金を支払う。
【００２８】
本考案に係るリユースオークション用荷札を利用することで、せり人は、商品をせりにかける際にこの商品の情報を全てその場で確実に読み上げることができ、買人もその情報をとりあえず聞いて気になる点がある場合はその商品のところに行き、リユースオークション用荷札の記載内容を見て確認の上納得して商品の値段をせり上げて購入することができる。
【００２９】
また、買人には、本実施形態に係るリユースオークション用荷札が貼られた状態の商品をオークション会場でそのまま手に入れることができるので、商品の情報を忘れたことによって疑問点が生じても、商品に貼られたリユースオークション用荷札の内容を確認することで、せり人の説明した内容を思い出すことができ、商品に関する疑問点がトラブルの原因に発展することがない。
【００３０】
以上説明したように、本考案によると、せりにかける商品の詳細な情報が１枚のリユースオークション用荷札に全て記入されているため、せり人がせりを行う際にこれらの詳細な情報を全て読み上げると共に、そのリユースオークション用荷札が貼られた商品を展示して買人がその商品のところにまで行ってそのリユースオークション用荷札の内容を確認することで、その商品の内容に対する買人の認識の間違いを防止することができる。具体的には買人が考えていた商品の年式に対して実際に購入した商品の年式がそれよりも古かったり、その商品自体に買人が予想していないような傷があったり、例えば商品が電化製品の場合、本来つくべきリモコンがついていなかったり、売人が商品の保証をしているかいないかなどで、買人が購入した後でオークションを終了した後にクレームをつけることを回避することができる。
【００３１】
また、せりにかける商品の詳細な情報が１枚のリユースオークション用荷札に全て記入されているため、せり人がせりを行う際にこれらの詳細な情報を全て口頭で説明することができ、リユース品に関する詳細な情報を買人全てに情報提供することができ、情報提供の漏れをなくすことができる。また、買人が実際に商品のところに行ってこのリユースオークション用荷札に書かれた詳細な情報を直接自分の目で確認することができて、上述のような商品購入時の勘違いをなくし、後々のトラブル発生を防止することができる。
【００３２】
また、上述のようにせり人による商品の詳細な情報の説明と買人による商品の詳細な情報を前もって直接目視による確認を介して、せりの最中に余計な質問等が数多く生じることを防止することができ、各商品のせりを効率良く行うことができ、各商品のせりにかかる時間の短縮化を図ることができ、一回のリユースオークションで何千点から何万点という多数の商品のせりを行うリユースオークションを効率良く最低限の時間で終わらせることができる。
【００３３】
以上のような理由から、本考案に係るリユースオークション用荷札をリユースオークションに使用することで、リユースオークションをトラブルなく正確に短時間で効率良く行うことができる。特にリユースオークションにおいて取り扱うリユース品の点数が多かったり種類が多岐にわたったりする場合、本考案に係るリユースオークション用荷札はなくてはならない荷札と言える。
【００３４】
なお、上述の実施形態の記載内容は、あくまで本考案の作用を発揮する実施例を示したに過ぎず、売人と買人の情報、商品の名称、せり落とした額の記載欄があれば、上述した実施例のような商品情報に関する各記載欄を必ずしも全て設ける必要はなく、一部だけ設けていても良い。
【符号の説明】
【００３５】
１００    リユースオークション用荷札
１１１    売人特定記入欄
１１２    年式記入欄
１１３    メーカー名記入欄
１１４    保証有無記入欄
１１５    リモコン有無記入欄
１１６    ガス種特定記入欄
１１８    特記事項記入欄
１２１    買人特定記入欄
１２２    買い取り金額記入欄
１２３    買い取り個数記入欄
【図１】
0003195895.tif 000003
【手続補正書】
【提出日】平成26年12月3日(2014.12.3)
【手続補正１】
【補正対象書類名】実用新案登録請求の範囲
【補正対象項目名】全文
【補正方法】変更
【補正の内容】
【実用新案登録請求の範囲】
【請求項１】
リユースオークションにおいてせりにかけるリユース品ごとに貼られるリユースオークション用荷札であって、
前記リユースオークション用荷札は、紙でできており、
その表面は記入面となってその裏面には前記リユースオークション用荷札を前記リユース品に貼ることができると共に剥がすこともできる糊が付けられており、
前記リユースオークション用荷札には、リユース品の売人を特定する売人特定記入欄を設けると共に、リユース品の買人を特定する買人特定記入欄及び買い取り金額を記入する買い取り金額記入欄を設けることに加えて、前記リユース品の買い取り金額に影響を与える当該リユース品の各種情報をこの情報ごとに記入するリユース品の特記事項記入欄が少なくとも設けられていることを特徴とするリユースオークション用荷札。
【請求項２】
前記リユースオークション用荷札の表面における所定の範囲に売人側の記入欄が配置され、前記範囲とは異なる範囲に買人側の記入欄が配置されていることを特徴とする請求項１に記載のリユースオークション用荷札。
【手続補正２】
【補正対象書類名】明細書
【補正対象項目名】０００９
【補正方法】変更
【補正の内容】
【０００９】
上記目的を達成するために本考案の請求項１に係るリユースオークション用荷札は、
リユースオークションにおいてせりにかけるリユース品ごとに貼られるリユースオークション用荷札であって、
前記リユースオークション用荷札は、紙でできており、
その表面は記入面となってその裏面には前記リユースオークション用荷札を前記リユース品に貼ることができると共に剥がすこともできる糊が付けられており、
前記リユースオークション用荷札には、リユース品の売人を特定する売人特定記入欄を設けると共に、リユース品の買人を特定する買人特定記入欄及び買い取り金額を記入する買い取り金額記入欄を設けることに加えて、前記リユース品の買い取り金額に影響を与える当該リユース品の各種情報をこの情報ごとに記入するリユース品の特記事項記入欄が少なくとも設けられていることを特徴としている。これにより、上記の課題を全て解決できる。
【手続補正３】
【補正対象書類名】明細書
【補正対象項目名】００１０
【補正方法】変更
【補正の内容】
【００１０】
また、本考案の請求項２に係るリユースオークション用荷札は、請求項１に記載のリユースオークション用荷札において、前記リユースオークション用荷札の表面における所定の範囲に売人側の記入欄が配置され、前記範囲とは異なる範囲に買人側の記入欄が配置されていることを特徴としている。